(57)【要約】      （修正有）【課題】眼鏡レンズを変形することがないように保持でき、しかも両面昇華染色を行う際、タイムロスや色むらが少なくなるように眼鏡レンズを保持できる昇華染色装置用レンズ保持具を提供する。【解決手段】眼鏡レンズ３を挿入可能な円環状に形成されて昇華染色装置に着脱自在に取付られる保持具本体１１を備える。眼鏡レンズ３の外周部を表裏両面側から挟む一対の爪片２１，２２を有する支持部材１２を備える。支持部材１２は、爪片２１，２２が保持具本体１１の中空部内に位置するように保持具本体１１に着脱可能に取付けられている。【選択図】図３
2012108171.tif 000002
【特許請求の範囲】
【請求項１】
眼鏡レンズを挿入可能な円環状に形成されかつ軸線が染料昇華部を指向する状態で昇華染色装置に着脱自在に取付られる保持具本体と、
眼鏡レンズの外周部を表裏両面側から挟む一対の爪片を有するとともに前記爪片が前記保持具本体の中空部内に位置するように前記保持具本体に着脱可能に取付けられた複数の支持部材とを備えたことを特徴とする昇華染色装置用レンズ保持具。
【請求項２】
請求項１記載の昇華染色装置用レンズ保持具において、前記支持部材は、前記保持具本体に取付けられる基部を有しかつ前記一対の爪片のうち一方の爪片が先端部に形成された第１の支持板と、
前記一対の爪片のうち他方の爪片が先端部に形成されかつ前記第１の支持板に重ねて固定された第２の支持板とによって構成され、
前記第１の支持板と第２の支持板とのうち少なくともいずれか一方は、ばね材料によって形成されていることを特徴とする昇華染色装置用レンズ保持具。
【請求項３】
請求項１または請求項２記載の昇華染色装置用レンズ保持具において、前記支持部材の一対の爪片は、眼鏡レンズが前記保持具本体の軸線方向の中央部で保持されるように形成されていることを特徴とする昇華染色装置用レンズ保持具。
【発明の詳細な説明】
【技術分野】
【０００１】
本発明は、昇華染色装置で眼鏡レンズを染色する際に使用する昇華染色装置用レンズ保持具に関するものである。
【背景技術】
【０００２】
従来、眼鏡レンズの染色方法の一つとして、昇華染色法がある。この方法を実現する昇華染色装置は、たとえば特許文献１に記載されているように、眼鏡レンズの染色面と対向する位置に配置された昇華性染料と、この昇華性染料を加熱する加熱器とを備えている。
眼鏡レンズは、リング状のレンズ保持具の上に載置させられた状態で前記昇華性染料の上方に位置付けられている。前記加熱器は、前記昇華性染料を下方から加熱するように構成されている。この昇華染色装置は、眼鏡レンズおよびレンズ周囲を上方からカバーで覆った状態で昇華染色を行うように構成されている。
【０００３】
この特許文献１に記載されている昇華染色装置を用いて眼鏡レンズの両面を染色するときは、先ず、眼鏡レンズの一方のレンズ面が染色される。その後、前記カバーが外された状態で作業者によって眼鏡レンズが裏返される。そして、再度加熱を行って他方のレンズ面が染色される。
【０００４】
ところで、眼鏡レンズを保持する従来のレンズ保持具としては、たとえば特許文献２に記載されているものがある。この特許文献２に開示されたレンズ保持具は、眼鏡レンズの外周部を複数の支持部材で径方向に挟んで支持するものである。前記支持部材は、眼鏡レンズの軸線方向に延びる円柱状に形成されており、眼鏡レンズの外周部の３箇所と対向する位置に配置されている。また、この支持部材は、駆動装置に接続されており、この駆動装置による駆動によって、眼鏡レンズの外周面を径方向の内側に向けて押す保持位置と、前記外周面から離間する開放位置との間で移動させられる。
【先行技術文献】
【特許文献】
【０００５】
【特許文献１】特開２００４−５２１６０号公報
【特許文献２】特開２００９−２９４３９９号公報
【発明の概要】
【発明が解決しようとする課題】
【０００６】
特許文献１に示した昇華染色装置においては、眼鏡レンズがリング状のレンズ保持具の上に載せられた状態で染色が行われる。このため、染色時には、昇華した染料がレンズ保持具の中空部を通ってレンズ面に達することになるから、レンズ面の外周部は染色されることがない。
【０００７】
このような不具合は、特許文献２に記載されたレンズ保持具を使用することによって解消することができる。この理由は、特許文献２に示すレンズ保持具は、眼鏡レンズの外周面に接触し、レンズ面の全域を露出させることができるものだからである。
しかし、昇華染色時の眼鏡レンズは、所定の温度に上昇させられて硬度が低下し易いから、特許文献２に示すレンズ保持具で径方向の内側に押圧されると、眼鏡レンズとの接触部分が多い分変形してしまうおそれがある。
【０００８】
一方、特許文献１に開示された昇華染色装置では、次の二つの問題もあった。第１の問題は、眼鏡レンズの表裏両面に染色を行う場合にタクトタイムが長くなるという問題である。第２の問題は、眼鏡レンズの両面を同じように染色することが難しく、また、色むらが生じることがあるという問題である。
【０００９】
前記第１の問題の原因は、一方のレンズ面の染色が終了した後、作業者がレンズ面に触れることがないように眼鏡レンズを慎重に手で把持して裏返さなければならないからである。すなわち、眼鏡レンズを裏返す作業でタイムロスが生じるから、上述したようにタクトタイムが長くなる。
【００１０】
第２の問題の原因は、一方のレンズ面の染色が終了した後に眼鏡レンズを裏返して他方のレンズ面の染色を開始するときの眼鏡レンズの温度にばらつきがあるからであると考えられる。染色時の眼鏡レンズの温度が相対的に低い場合は、染色が充分に行われないことがあり、一方、前記温度が過度に高い場合には、レンズ面上で再昇華が起こり、染料の量が少なくなるおそれがある。このため、染色開始時の眼鏡レンズの温度は、ばらつきが少ないことが望ましい。
【００１１】
眼鏡レンズの温度は、一方のレンズ面の染色が終了してから徐々に低下する。一方のレンズ面の染色が終了した後に眼鏡レンズを裏返す作業の作業時間は、作業者毎に異なる。すなわち、眼鏡レンズを裏返す作業に要する時間にばらつきがあるから、上述したように２回目の染色を開始するときの眼鏡レンズの温度にばらつきが生じることになる。
【００１２】
本発明はこのような問題を解消するためになされたもので、眼鏡レンズを変形することがなく、かつ１８０°反転させたとしても（裏返したとしても）落下することがないように保持でき、しかも、タイムロスや色むらが少なくなるように眼鏡レンズを保持できる昇華染色装置用レンズ保持具を提供することを目的とする。
【課題を解決するための手段】
【００１３】
この目的を達成するために、本発明に係る昇華染色装置用レンズ保持具は、眼鏡レンズを挿入可能な円環状に形成されかつ軸線が染料昇華部を指向する状態で昇華染色装置に着脱自在に取付られる保持具本体と、眼鏡レンズの外周部を表裏両面側から挟む一対の爪片を有するとともに前記爪片が前記保持具本体の中空部内に位置するように前記保持具本体に着脱可能に取付けられた複数の支持部材とを備えたものである。
【００１４】
本発明は、前記発明において、前記支持部材は、前記保持具本体に取付けられる基部を有しかつ前記一対の爪片のうち一方の爪片が先端部に形成された第１の支持板と、前記一対の爪片のうち他方の爪片が先端部に形成されかつ前記第１の支持板に重ねて固定された第２の支持板とによって構成され、前記第１の支持板と第２の支持板とのうち少なくともいずれか一方は、ばね材料によって形成されているものである。
【００１５】
本発明は、前記発明において、前記支持部材の一対の爪片は、眼鏡レンズが前記保持具本体の軸線方向の中央部で保持されるように形成されているものである。
【発明の効果】
【００１６】
本発明によれば、眼鏡レンズの外周部が表裏両面側から一対の爪片で挟まれるから、昇華染色時の熱で眼鏡レンズの硬度が低くなったとしても眼鏡レンズが変形することはない。
また、眼鏡レンズを支持部材によって保持具本体に保持させた状態においては、保持具本体を裏返しても眼鏡レンズが保持された状態に保たれる。一対の爪片は、眼鏡レンズの重量を支えることができる最小の大きさに形成することができるから、未染色部分を可及的小さくすることができる。
【００１７】
このため、眼鏡レンズの一方のレンズ面の染色が終了した後にレンズ保持具を裏返すだけで眼鏡レンズの他方のレンズ面が染色可能になる。この作業は、単純作業であり、しかも、眼鏡レンズのレンズ面から離間した保持具本体を把持して行うことができるから、眼鏡レンズを直接把持する場合に較べて短時間で行うことができる。すなわち、一方のレンズ面を染色してから他方のレンズ面の染色を開始するまでのタイムロスが少なくなる。
【００１８】
また、この作業は、単純であるために、この作業に不慣れな作業者であっても熟練者と同等の作業速度で行うことができる。この結果、眼鏡レンズの一方のレンズ面の染色が終了して他方のレンズ面の染色を開始するときの眼鏡レンズの温度が略一定になる。
したがって、本発明によれば、眼鏡レンズを変形することがなく、かつ１８０°反転させたとしても落下することがないように保持でき、しかも、タイムロスや色むらが少なくなるように眼鏡レンズを保持可能な昇華染色装置用レンズ保持具を提供することができる。
【図面の簡単な説明】
【００１９】
【図１】本発明に係るレンズ保持具を昇華染色装置に装填した状態を示す断面図である。
【図２】レンズ保持具の平面図である。
【図３】図２におけるIII−III線断面図である。
【図４】保持具本体の平面図である。
【図５】図４におけるV−V線断面図である。
【図６】支持部材を示す図で、同図（Ａ）は平面図、同図（Ｂ）は側面図である。
【図７】第１の支持板を示す図で、同図（Ａ）は平面図、同図（Ｂ）は側面図である。
【図８】第２の支持板を示す図で、同図（Ａ）は平面図、同図（Ｂ）は側面図、同図（Ｃ）は正面図である。
【図９】爪片の先端部を拡大して示す斜視図で、同図（Ａ）は図７に示した第１の支持板の爪片の先端部を示し、同図（Ｂ）は上方を指向する三角柱状の爪片の先端部を示し、同図（Ｃ）はレンズの中心に向けて凸になる蒲鉾状の爪片の先端部を示し、同図（Ｄ）は上方に向けて凸になる蒲鉾状の爪片の先端部を示し、同図（Ｅ）は立方体状の爪片の先端部を示し、同図（Ｆ）は上方を指向する円錐状の爪片の先端部を示している。
【発明を実施するための形態】
【００２０】
以下、本発明に係る昇華染色装置用レンズ保持具の一実施例を図１〜図９によって詳細に説明する。
図１に示す昇華染色装置１は、レンズ保持具２に保持された眼鏡レンズ３のレンズ面３ａ，３ｂを昇華染色法によって染色するためのものである。レンズ保持具２は、昇華染色装置１の支持台４上に着脱自在に載置されている。
【００２１】
前記支持台４は、昇華染色装置１の真空容器５内の上端部に位置付けられ、前記真空容器５に対して移動できないように固定されている。この支持台４には、後述するレンズ保持具２を取付けるために円形の穴４ａが形成されている。
前記支持台４の下方には、染料基板６が加熱装置７に載置された状態で配置されている。
【００２２】
染料基板６の上面には昇華性染料８が塗布されている。前記加熱装置７は、染料基板６を加熱するためのものである。前記昇華性染料８は、加熱装置７によって染料基板６が加熱されることにより昇華し、上方に位置する眼鏡レンズ３を染色する。この実施の形態においては、前記染料基板６と前記加熱装置７とによって、本発明でいう「染料昇華部」が構成されている。
【００２３】
前記レンズ保持具２は、図２〜図５に示すように、円環状の保持具本体１１と、この保持具本体１１に取付けられた複数の支持部材１２とによって構成されている。
前記保持具本体１１は、円板状の眼鏡レンズ３を挿入可能な円環状に金属材料によって形成されている。この実施の形態による保持具本体１１は、前記支持台４の穴４ａに上方から嵌合可能な形状に形成された円筒部１３と、この円筒部１３の外周部分に突設されたフランジ部１４とから構成されている。
【００２４】
前記フランジ部１４は、前記円筒部１３の軸線方向の中央に位置付けられており、前記円筒部１３が前記穴４ａに嵌合した状態で支持台４の上面に支承されるものである。すなわち、保持具本体１１は、前記支持台４に着脱自在に取付けられるように構成されている。前記円筒部１３が前記穴４ａに嵌合している状態においては、この円筒部１３の軸線Ｃ（図３参照）が前記染料基板６と加熱装置７（染料昇華部）を指向するようになる。
【００２５】
前記フランジ部１４には、図４および図５に示すように、２つの貫通孔１５，１５が穿設されている。これらの貫通孔１５は、前記支持台４に立設された２本の位置決めピン１６（図３参照）が嵌合するように形成されている。この保持具本体１１は、前記位置決めピン１６が貫通孔１５に嵌合することによって支持台４に対して位置決めされる。
【００２６】
保持具本体１１の軸線方向（図３においては上下方向）の一方の端部には、図４および図５に示すように、後述する支持部材１２を取付けるための複数の凹溝１７が形成されている。これらの凹溝１７は、保持具本体１１の周方向に等間隔おいて配設されており、保持具本体１１の軸心を中心として放射状に延びるように形成されている。この実施の形態による保持具本体１１は、周方向の６箇所に凹溝１７が形成されている。これらの凹溝１７は、前記円筒部１３の内周面からフランジ部１４の外周面まで延びるように形成されている。また、これらの凹溝１７には、支持部材固定用ボルト１８（図２，３参照）を締め付けるためのねじ孔１９が形成されている。
【００２７】
前記支持部材１２は、眼鏡レンズ３の外周部を一方のレンズ面３ａ側と他方のレンズ面３ｂ側から（表裏両面側から）挟む一対の爪片［第１の爪片２１および第２の爪片２２｛図６（Ｂ）参照｝］を備えている。また、支持部材１２は、前記爪片２１，２２が前記保持具本体１１の中空部内に位置するように、前記凹溝１７内に挿入された状態で支持部材固定用ボルト１８によって保持具本体１１に着脱可能に取付けられている。
【００２８】
この実施の形態による支持部材１２は、図６に示すように、相対的に長くなるように形成された第１の支持板２３と、この第１の支持板２３に重ねられた第２の支持板２４とによって構成されている。前記凹溝１７の溝幅Ａ（図４参照）は、第１の支持板２３を挿入できるように形成されている。
これらの第１、第２の支持板２３，２４は、所定の形状に形成された薄帯状の金属板によって形成されている。前記第１の爪片２１は、詳細は後述するが、第１の支持板２３の先端部を曲げることによって形成され、前記第２の爪片２２は、第２の支持板２４の先端部を曲げることによって形成されている。
【００２９】
第１、第２の支持板２３，２４を構成する金属板の材料は、たとえばステンレス綱を使用することができる。ステンレス綱は、ばね材料としても使うことができる材料である。この実施の形態による第２の支持板２４は、第１の支持板２３より薄い金属板を用いて形成されている。このため、このように相対的に薄く形成された第２の支持板２４は、板ばねとしても機能するようになる。
【００３０】
前記第１の支持板２３は、図７に示すように、前記保持具本体１１に取付けられる基部２３ａと、この基部２３ａの先端部に一体に形成された前記第１の爪片２１とによって構成されている。前記基部２３ａは、平板状に形成されている。この基部２３ａには、前記支持部材固定用ボルト１８を通すための長穴２５が形成されている。
【００３１】
第１の爪片２１は、図７（Ｂ）に示すように、前記基部２３ａからこの基部２３ａの厚み方向（同図においては上下方向であって眼鏡レンズ３の厚み方向）の一方に延びるアーム２１ａと、このアーム２１ａの先端部に形成された爪２１ｂとによって構成されている。前記アーム２１ａは、相対的に細い角柱状に形成されている。この第１の爪片２１は、前記アーム２１ａと前記基部２３ａとの境界部分と、このアーム２１ａと前記爪２１ｂとの境界部分とに曲げ加工を施すことによって、前記基部２３ａに上端部が接続された側面視略Ｌ字状に形成されている。この爪２１ｂと前記アーム２１ａとは、図７（Ａ）に示すように、前記基部２３ａの幅方向（同図において上下方向）の中央に位置付けられている。
【００３２】
前記爪２１ｂは、図７（Ａ）に示すように、基部２３ａ側から見て眼鏡レンズ３の軸線を指向する三角形状に形成されている。この爪２１ｂは、上方を指向する三角形の面２６｛図９（Ａ）参照｝が眼鏡レンズ３の一方のレンズ面３ａ｛図６（Ｂ）参照｝に接触する状態で、第２の爪片２２と協働して眼鏡レンズ３を保持する。
この爪２１ｂの形状は、このように眼鏡レンズ３の軸線を指向する三角柱状に限定されることはなく、図９（Ｂ）〜（Ｆ）に示すように形成することができる。
【００３３】
図９（Ｂ）に示す爪２１ｂは、同図において上方を指向する三角柱状に形成されている。同図（Ｃ）に示す爪２１ｂは、眼鏡レンズ３の軸線に向けて凸になる蒲鉾状に形成されている。同図（Ｄ）に示す爪２１ｂは、同図において上方に向けて凸になる蒲鉾状に形成されている。同図（Ｅ）に示す爪２１ｂは、立方体状に形成され、同図（Ｆ）に示す爪２１ｂは、同図において上方を指向する円錐状に形成されている。
【００３４】
これらの爪２１ｂのうち、図において上方に向かうにしたがって（レンズ面３ａに接近するにしたがって）幅が漸次狭く、または細くなるように形成された爪２１ｂを用いることによって、レンズ面３ａにおける爪２１ｂが接触する部分である未染色部分の面積を可及的小さくすることができる。このように幅が漸次狭くまたは細くなるような爪２１ｂを用いる場合は、昇華された染料が爪２１ｂの側面に沿って流れてレンズ面３ａに到達し易くなるから、前記未染色部分の周囲に染色むらが生じ難くなる。
【００３５】
前記第２の支持板２４は、図８に示すように、平板状の基部２４ａと、この基部２４ａの先端部を折り曲げることによって形成された前記第２の爪片２２とによって構成されている。前記基部２４ａは、前記第１の支持板２３の基部２３ａに重ねられてスポット溶接によって溶接されている。スポット溶接による溶接部２７は、図６（Ａ）に示すように、基部２４ａにおける第２の爪片２２とは反対側の端部に位置付けられている。
【００３６】
第２の爪片２２は、図８（Ｃ）に示すように、眼鏡レンズ３の軸心側から見て眼鏡レンズ３の他方のレンズ面３ｂを指向する（同図において下方を指向する）三角形状に形成されている。この第２の爪片２２は、図６（Ｂ）に示すように、眼鏡レンズ３の他方のレンズ面３ｂに第１の爪片２１の爪２１ｂとは反対方向から接触する。なお、第２の爪片２２の先端は、必ずしも尖らせる必要はなく、平坦に形成したり、丸みを帯びるように形成することができる。
【００３７】
この第２の爪片２２と、前記第１の爪片２１の爪２１ｂとは、図３に示すように、眼鏡レンズ３が保持具本体１１の軸線方向の略中央で保持されるように形成されている。すなわち、前記保持具本体１１の凹溝１７の深さと、前記第１の爪片２１のアーム２１ａの長さおよび第２の爪片２２の大きさは、上述したように眼鏡レンズ３が保持される位置が保持具本体１１の軸線方向の略中央となるように形成されている。この実施の形態においては、眼鏡レンズ３の凹面（一方のレンズ面３ａ）が前記爪２１ｂに接触するように両爪片２１，２２に眼鏡レンズ３を保持させることによって、図３に示すように、前記凹面（一方のレンズ面３ａ）の中央部分の高さと、凸面（他方のレンズ面３ｂ）が下方を指向するように裏返した状態における凸面の中央部分の高さとが略一致するようになる。
【００３８】
このように構成された昇華染色装置用レンズ保持具２は、複数の支持部材１２を保持具本体１１の複数の凹溝１７に挿入し、支持部材固定用ボルト１８で保持具本体１１に固定することによって組立てられる。眼鏡レンズ３は、保持具本体１１の中空部内に挿入された状態で支持部材１２の一対の爪片２１，２２に挟まれて保持される。眼鏡レンズ３を両爪片２１，２２で挟むに当たっては、先ず、第１の爪片２１に眼鏡レンズ３の一方のレンズ面３ａ側の外周部を載せ、この状態で第２の支持板２４を弾性変形させて両爪２１，２２間の間隔を拡げ、他方のレンズ面３ｂ側の外周部を第２の爪片２２の内側に挿入することによって行う。
【００３９】
眼鏡レンズ３は、このようにレンズ保持具２に保持された状態でレンズ保持具２を介して昇華染色装置１に装着される。レンズ保持具２は、昇華染色装置１の支持台４に円筒部１３を嵌合させて載せられる。このとき、レンズ保持具２は、貫通孔１５と位置決めピン１６とによって支持台４に対して位置決めされる。
昇華染色装置１によって眼鏡レンズ３の一方のレンズ面３ａが染色された後、作業者（図示せず）によって眼鏡レンズ３が裏返される。この作業は、たとえばレンズ保持具２の保持具本体１１を作業者が把持して支持台４から持ち上げ、他方の手で持ち替えて裏返し、再び支持台４に載置させることによって行われる。
【００４０】
したがって、この実施の形態によるレンズ保持具２においては、眼鏡レンズ３の外周部が表裏両面側から一対の爪片２１，２２で挟まれるから、昇華染色時の熱で眼鏡レンズ３の硬度が低くなったとしても眼鏡レンズ３が変形することはない。
また、眼鏡レンズ３を支持部材１２によって保持具本体１１に保持させた状態においては、保持具本体１１を裏返しても眼鏡レンズ３が保持された状態に保たれる。一対の爪片２１，２２は、眼鏡レンズ３の重量を支えることができる最小の大きさに形成することができるから、未染色部分を可及的小さくすることができる。
【００４１】
このため、眼鏡レンズ３の一方のレンズ面３ａの染色が終了した後にレンズ保持具２を裏返すだけで眼鏡レンズ３の他方のレンズ面３ｂが染色可能になる。この作業は、単純作業であり、しかも、眼鏡レンズ３のレンズ面３ａ，３ｂから離間した保持具本体１１を把持して行うことができるから、タイムロスが少なく、短時間で行うことができる。しかも、この作業は、単純であるから、この作業に不慣れな作業者であっても熟練者と同等の作業速度で行うことができる。
【００４２】
この結果、眼鏡レンズ３の一方のレンズ面３ａの染色が終了して他方のレンズ面３ｂの染色を開始するときの眼鏡レンズ３の温度が略一定になる。
したがって、この実施の形態によれば、眼鏡レンズ３を変形することがなく、かつ１８０°反転させたとしても落下することがないように保持でき、しかも、タイムロスや色むらが少なくなるように眼鏡レンズ３を保持可能な昇華染色装置用レンズ保持具２を提供することができる。
【００４３】
この実施の形態による前記支持部材１２は、前記保持具本体１１に取付けられる基部２３ａを有しかつ第１の爪片２１が先端部に形成された第１の支持板２３と、第２の爪片２２が先端部に形成されかつ前記第１の支持板２３に重ねて固定された第２の支持板２４とによって構成されている。前記第２の支持板２４は、ばね材料によって形成されている。
【００４４】
このため、この実施の形態によれば、第２の支持板２４を弾性変形させることによって一対の爪片２１，２２の間隔を拡げることができるから、一対の爪片２１，２２の間に眼鏡レンズ３の外周部を挿入する作業を容易に行うことができる。また、第２の支持板２４が弾性変形できるために厚みが異なる眼鏡レンズ３を保持することができるから、汎用性が高い昇華染色装置用レンズ保持具２を提供することができる。
【００４５】
この実施の形態による前記支持部材１２の一対の爪片２１，２２は、眼鏡レンズ３が前記保持具本体１１の軸線方向の中央部で保持されるように形成されている。このため、眼鏡レンズ３の一方のレンズ面３ａを染色するときと、レンズ保持具２を裏返して他方のレンズ面３ｂを染色するときとにおいて、レンズ面３ａ，３ｂが略等しい位置に位置付けられるようになる。したがって、眼鏡レンズ３の一方のレンズ面３ａの染色と、他方のレンズ面３ｂの染色とを略同じ条件で行うことができ、眼鏡レンズ３の両面を略等しく染色することができる。
【００４６】
上述した実施の形態においては、第２の支持板２４が板ばねを構成する例を示したが、本発明はこのような限定にとらわれることはなく、第１の支持板２３が板ばねとなるように構成することができるし、第１、第２の支持板２４の両方が板ばねとなるように構成することもできる。
また、上述した実施の形態では眼鏡レンズ３を真空容器５内で水平に保持する例を示したが、本発明に係るレンズ保持具２は、眼鏡レンズ３を立てて保持する昇華染色装置にも使用することが可能である。
【符号の説明】
【００４７】
１…昇華染色装置、２…レンズ保持具、３…眼鏡レンズ、３ａ，３ｂ…レンズ面、４…支持台、６…染色基板、７…加熱装置、１１…保持具本体、１２…支持部材、１７…凹溝、２１…第１の爪片、２１ａ…アーム、２１ｂ…爪、２２…第２の爪片、２３…第１の支持板、２３ａ，２４ａ…基部、２４…第２の支持板。
【図１】
2012108171.tif 000003
【図２】
2012108171.tif 000004
【図３】
2012108171.tif 000005
【図４】
2012108171.tif 000006
【図５】
2012108171.tif 000007
【図６】
2012108171.tif 000008
【図７】
2012108171.tif 000009
【図８】
2012108171.tif 000010
【図９】
2012108171.tif 000011